(57)【要約】【課題】ペーパータオルなどの食品に接触する用途に使用される衛生用薄葉紙として安全性が高く且つ充分な品質を備え、美粧性の高いエンボスシートを提供する。【解決手段】２つのマッチしていない頂面が平担なエンボスナックル部を有するスチール製のエンボスロールにより表面は凸面と凹面が規則的に配置されている細かい規則的な幾何学模様が型押しされている蒿高なベーシックエンボスペーパーシート面上に、これを表面に装飾柄の線画の凸部を有するスチール製のエンボスロールと適度な硬度を有するラバーロールの間に押圧しながら通過させることにより、上記幾何学模様の多数に亘って、装飾柄の線画をエンボス加工してなることを特徴とする装飾性エンボスを施した衛生用薄葉紙。【選択図】  図９
2008113695.tif 000002
【特許請求の範囲】
【請求項１】
２つのマッチしていない頂面が平担なエンボスナックル部を有するスチール製のエンボスロールにより表面は凸面と凹面が規則的に配置されている細かい規則的な幾何学模様が型押しされている蒿高なベーシックエンボスペーパーシート面上に、これを、表面に装飾柄の線画の凸部を有するスチール製のエンボスロールと適度な硬度を有するラバーロールの間に押圧しながら通過させることにより、上記幾何学模様の多数に亘って、装飾柄の線画をエンボス加工してなることを特徴とする装飾性エンボスを施した衛生用薄葉紙。
【請求項２】
スチール製のエンボスロールの装飾柄の線画の凸部が線幅０．３〜１．５ｍｍの範囲で１種から５種の線幅の装飾柄線画をくっきりと現出する請求項１記載の衛生用薄葉紙。
【請求項３】
スチール製のエンボスロールの装飾柄の線画の凸部が
（１）装飾柄の線画凸部の線幅０．３〜１．５ｍｍであり、
（２）上記凸部の高さが１．０〜２．０ｍｍであり、
（３）上記凸部の角部の曲率が０．０５〜０．３５ｍｍＲである
請求項１または２記載の衛生用薄葉紙。
【請求項４】
ラバーロールの硬度（ＪＩＳ硬度）が４０度から１００度の範囲である請求項１から３までのいずれか１項記載の衛生用薄葉紙。
【請求項５】
装飾柄の線画の凸部を有するスチール製のエンボスロールに上記の線画の凸部の外側に抜き部を介して隣接する外周部のより太幅の凸面を設けて細太の内外周の複数線よりなる装飾柄の線画をエンボス加工して得られる請求項１から４までのいずれか１項記載の衛生用薄葉紙。
【請求項６】
薄葉紙が食品に接触する用途で使用される衛生用薄葉紙である請求項１から５までのいずれか１項記載の衛生用薄葉紙。
【請求項７】
２段階のエンボス処理を行うエンボス手段を有している装置を用いて、その第１段はペーパーシートに２つのマッチしていないエンボスナックル部を有するスチール製のエンボスロールにより規則的な幾何学模様が型押しされると同時に上下のナックル部がペーパーシートを介してタッチすることでペーパーシートにタッチ部の傷が形成される事で吸水性が早く表面は凸面と凹面が規則的に配置されている蒿高な第１段エンボスペーパーシートを得た後、第２段のエンボス処理として片側に装飾柄の線画の凸部を有するスチール製のエンボスロールと適度な硬度を有するラバーロールの間に第１段エンボスペーパーシートを適度な線圧で押圧しながら通過させる事を特徴とする美粧性の高いエンボスシートの製造方法。
【請求項８】
第２段のエンボス条件としてラバーロール硬度、エンボス圧力、装飾柄の線画凸部の線幅、前記凸部の高さ、凸部の角の曲率に下記の数値を選択して装飾柄線画がくっきりとする
ラバーロール硬度（ＪＩＳ硬度）  ４０度から１００度の範囲
エンボス圧力（線圧）  ２０〜５０Ｋｇ／ｃｍ
装飾柄の線画凸部の線幅  ０．３〜１．５ｍｍ
前記凸部の高さ  １．０〜２．０ｍｍであり
凸部の角部の曲率  ０．０５〜０．３５ｍｍＲ
請求項７記載のエンボスシートの製造方法。
【発明の詳細な説明】
【技術分野】
【０００１】
本発明はトイレットペーパー、フェイシャルティシュー、ペーパータオル（ロール及びボックスタオル）、ワイパー、テーブルナプキン（紙ナプキン）、テーブルクロス等の衛生薄葉紙、特に食品に接触する用途で使われる坪量１０〜５０ｇ／ｍ２の衛生薄葉紙に施されたエンボスシート並びに衛生薄葉紙へのエンボス加工技術に関するものである。
【背景技術】
【０００２】
ペーパータオル（ロール）、シートを積層し紙箱に収納したペーパータオルの外観を良くして付加価値を高める為、印刷を付与することがある。
印刷のためにプリントインクを使用することは、食品に接触する用途で使われるペーパータオル、シートを積層し紙箱に収納したペーパータオル、テーブルナプキン、フェイシャルティシュー、テーブルクロスでインクが色落ちして食品に混入しインキが食品と共に体内に摂取されるなどの危険性を秘めている。
また、従前のエンボス処理（スチール対スチールエンボス又はスチール対ラバーエンボス）の２段目処理としてスチール・ラバーエンボス（片側ロールスチール使用＋片側ロールラバー使用）を押圧してエンボス模様を施した場合ラバーロールの硬度の条件、エンボスロール凸部の線幅、深度、凸部の大きさ、押し付け圧、パターンの種類などの条件によっては、明瞭なデコレーションエンボス（２段目処理のエンボスと同意）を得られなかった（デコレーションエンボスにぼやけが出たりシャープ性に欠けるものであった）。本発明の目的は高い安全性を確保するため、機械的なエンボス処理のみで美粧性があり且つ従来のペーパータオルよりも品質の良いペーパータオルなどの製品を提供することにある。
【０００３】
【特許文献１】特開２００６−１８３２１６
【特許文献２】特開２００５−１６０８６０
【特許文献３】特開２００５−１６０６５４
【特許文献４】特開平４−５９３４７
【特許文献５】特開２００３−７３９９９
【特許文献６】特表２００２−５０１９９２
【発明の開示】
【発明が解決しようとする課題】
【０００４】
ペーパータオルなどの衛生用薄葉紙として安全性が高く且つ充分な品質を備え、美粧性の高いエンボスシートを提供する。
【課題を解決するための手段】
【０００５】
２段階のエンボス処理を行うエンボス手段を有している装置であって、その第１段は２つのマッチしていないエンボスナックル部を有するスチール製のエンボスロールにより規則的な幾何学模様が型押しされると同時に上下のナックル部がペーパータオル原紙を介してタッチする事でペーパータオルがタッチ部の傷が形成される事で吸水性が早く蒿高な第１段エンボスペーパータオルが得られる（表面は凸面と凹面が規則的に配置されている）。
第２段のエンボス処理として片側にキャラクター物の線画の凸部を有するスチール製のエンボスロールと適度な硬度を有するラバーロールの間に第１段エンボスペーパータオルシートを適度な線圧で押圧しながら通過させる。
第２段のエンボス条件（ラバーロール硬度、エンボス圧力、装飾柄の線画凸部の線幅、前記凸部の高さ、凸部の角の曲率）を下記の適切な数値に選択することで装飾柄線画がくっきりとする条件を見出した。
ラバーロール硬度（ＪＩＳ硬度）  ４０度から１００度の範囲
エンボス圧力（線圧）  ２０〜５０Ｋｇ／ｃｍ
装飾柄の線画凸部の線幅  ０．３〜１．５ｍｍ
前記凸部の高さ  １．０〜２．０ｍｍであり
凸部の角部の曲率  ０．０５〜０．３５ｍｍＲ
【発明の効果】
【０００６】
本発明により、安全面で問題がなく、ペーパータオルなどの食品に接触する用途で使用される衛生用薄葉紙として充分な品質を備え、美粧性の高い容器包装用途薄葉紙が得られる。
【発明を実施するための最良の形態】
【０００７】
本発明における薄葉紙製品には、トイレットペーパー、フェイシャルティシュー、ペーパータオル、ワイパー、テーブルナプキン、テーブルクロス等であるが、特に食品に接触する用途で使われるペーパータオル（ロール）、シートを積層し紙箱又はポリフィルムに収納したペーパータオル（ボックスタオル）、テーブルナプキン、フェイシャルティシュー、テーブルクロス等の坪量１０〜５０ｇ／ｍ２の容器包装用途の薄葉紙が最適である。
また使用される場所（用途）としては家庭用、業務用、産業用などがある。
製造工程の順を追って本発明を実施するための最良の形態について説明していく。
上記の薄葉紙はまず抄紙機で原紙が製造される。原料としては食品との接触の可能性を考慮し純粋パルプ１００％であり、Ｎ−ＢＫＰ（針葉樹晒しクラフトパルプ）、Ｌ−ＢＫＰ（広葉樹晒しクラフトパルプ、ユーカリパルプも含む）、Ｎ−ＵＫＰ（針葉樹未晒しクラフトパルプ）、Ｌ−ＵＫＰ（広葉樹未晒しクラフトパルプ、ユーカリパルプも含む）が製品用途により適宜配合される。安全面、環境面から晒しパルプの場合は晒し液の塩素の含有量をできる限り少ないものが選択される。
また添加薬品としては湿潤紙力増強剤、乾燥紙力増強剤、ｐＨ調整剤、粘剤、柔軟剤、消泡剤、ヤンキードライヤー付着／剥離コントロール剤、スライムコントロール剤が必要に応じて添加（内添又は外添）される。
本発明の薄葉紙の原紙を抄造する抄紙機は特に限定されない。公知のティシュ用抄紙機でツインワイヤーティシュ抄紙機、サクションブレスト抄紙機、クレセントフォーマー、長網ティシュ抄紙機、丸網抄紙機、短網ティシュ抄紙機、コンビネーションティシュ抄紙機等がある。
上記の工程を経て得られた薄葉紙原紙は必要によりプライマシン又は加工工程で２枚重ねから４枚重ねにされる。
【０００８】
次にロール状又はシート上の製品に加工するための加工機で加工される。
この加工工程の中に本発明の２段のエンボスユニットが組み込まれエンボスが施工される。インターホルダー加工機にエンボスユニットを組み込んだ例を図５に示す。
第１段のエンボスユニット８では２つのマッチしていないエンボスナックル部を有するスチール製のエンボスロールにより規則的な幾何学模様が型押しされる。
２つのマッチしていないエンボスロールは図６のとおりである。凸面（ナックル部）を有した周面が上部エンボスロールと下部エンボスロールの夫々にぺアーで配設されており隣接する周面との間隔（Ｘ）をおいてロール幅全面に規則的に配置している。Ｘの距離は０ｍｍより０．５ｍｍの範囲が好ましい。
図６の２つのマッチしていないエンボスロールにより上記に記載した食品に接触する用途で使用される衛生用の薄葉紙製品用のエンボス原紙（プライ数は特に限定されない）を通過させる事で図２、図４に示されているような表面に凹凸を有した幾何学模様が形成される（図中白抜きは凸部、黒塗りは凹部を示す）。
【０００９】
第１段エンボスユニットの細部条件について以下に記す。
ナックル部を上面から見た頂部の形状は概略長方形で短辺側に曲面をもたせており短辺の幅は０．５ｍｍから１．５ｍｍで長辺の幅は１．５ｍｍから２．５ｍｍで面積は０．７ｍｍ２から３．７ｍｍ２が品質面、美観上好ましい。
また、ナックル部は１ｃｍ２当たり５個から３５個配置（凸面）されている。凸面と凹面を合計すると上記凸面の２倍で１ｃｍ２当たり１０個から７０個配置されている。
またナックル部は頂面が平坦であり長辺、短辺のどちらも頂面より底面の面積が大で側面はスロープをもっており且つ頂面、底面ともに曲面をもった形状である（図１）。曲面の曲率についてはエンボス原紙の紙質、製品に要求される品質などから０．０５ｍｍＲから０．４ｍｍＲが好ましい。望ましくは０．１５ｍｍＲから０．３ｍｍＲの範囲である。ナックル部の形状については上記の他に楕円形、円形、三角形から十角形のどの形状でも良い。
エンボスを形成する上での要件としては頂面が平坦である事が本発明の課題を解決する上で重要である。
また、ナックル部が形成する衛生用薄葉紙シートの凸面、凹面は所定の角度（平行線と一直線上の凸面凹面とのなす角度）で連続的又は非連続的にその角度の線上に配置されておりその角度は１０度から７０度の範囲が好ましい。
凸面、凹面のシート全面積に対する面積率は３０％から７０％の範囲が好ましい。
上記のようにエンボス加工された容器包装用途の薄葉紙は蒿高で吸水性も良く吸水量も多く且つ食品用途に使用される時の安全性でも良好なものが得られた。
【００１０】
次に第２段エンボスユニット（図５の９）のエンボスに関して図３で示されたキャラクター柄の線画線幅を持つスチール製ロールとラバーロールの条件を変化させ製品の品質と装飾的エンボス柄の鮮明さを確認してみた。
その結果、下記条件で課題が解決できる事を見出した。
ラバーロール硬度（ＪＩＳ硬度）  ４０度から１００度の範囲
エンボス圧力（線圧）  ２０〜５０Ｋｇ／ｃｍ
装飾柄の線画凸部の線幅  ０．３〜１．５ｍｍ
前記凸部の高さ  １．０〜２．０ｍｍであり
凸部の角部の曲率  ０．０５〜０．３５ｍｍＲ
キャラクター柄の面積  １５〜８０％（シート全面積に対する比率）
【００１１】
補足的に上記の条件を外れた時の状況を説明する。
ラバーロールの硬度（ＪＩＳ硬度）が４０度以下の場合は鮮明なパターンが得られず、エンボスラバーロールの寿命の面や早期に研磨が必要となり不利である。また１００度以上の場合でも鮮明なパターンが得られない。
エンボス圧力に関して２０Ｋｇ／ｃｍ以下の場合及び５０Ｋｇ／ｃｍ以上の条件では他の条件が適切な範囲であっても弱すぎて鮮明な装飾柄のエンボスが得られなかったり、強すぎて操業上好ましくない条件となる。
線幅に関して他の条件が適切な範囲であっても０．３ｍｍ以下の場合では、シートの切断が見られ装飾柄エンボスの鮮明度もやや不明瞭である。さらに１．５ｍｍ以上では装飾柄のエンボスが不明瞭となる。
エンボスの凸部の高さに関して他の条件が適切な範囲であっても１ｍｍ以下の場合、装飾柄の鮮明さに欠ける。また２ｍｍ以上の場合、凸部が欠ける問題等操業上の問題が出てくる。
エンボス凸部の角部の曲率に関しては０．０５ｍｍＲ以下ではエンボスシートに損傷を与えたり、切断による操業性の悪化が見られる。また０．３５ｍｍＲ以上の場合、鮮明な装飾柄が得られない。
装飾柄の面積に関して美粧性の面から装飾柄の面積が１５〜８０％の範囲が好ましい。
尚、装飾柄はキャラクター柄の他に動物、食器、花、木、調理器具、電気製品、人物、アニメ、果物、建物、自然風景、漫画、デザイン画、文字、記号、その他の装飾や商品の訴求を目的とした装飾柄であれば上記に列記した以外のものでも良い。
線画のみの凸部を有するエンボス以外に線画の凸面（３）の外側に２ｍｍから８ｍｍの抜き部（４）を設け、さらに隣接する外周部に２ｍｍから８ｍｍの凸面（５）を設けバックの幾何学模様の凹凸を消滅させる事も装飾柄を鮮明にさせる手段として非常に有効であった（図７）（図８）。
図７、図８の絵では凸部にエッジに曲面をもたしていないが紙への影響を考慮してエッジ部は曲面にすることが有効である。
装飾柄の線画に関しては線幅は０．３ｍｍ〜１．５ｍｍの範囲で線幅を場所によって変化させ、より美粧性を高めることができる。エンボスロールの製作という観点から線幅の種類をむやみに多くできないので線幅は１種類から５種類が適切である。
【００１２】
以下実施例を挙げて、本発明を具体的に説明するが、勿論これらの例に限定されるものではない。
【実施例１】
【００１３】
ツインワイヤーティシュ抄紙機で針葉樹クラフトパルプ（Ｎ−ＢＫＰ）６０％、広葉樹クラフトパルプ（Ｌ−ＢＫＰ）４０％及び湿潤紙力増強剤を対パルプ０．３％添加されたクレープ紙（ペーパータオル）を製造した。その坪量は２０ｇ／ｍ２であった。
その後プライマシンで２枚重ねとし、幅方向にスリットを入れボックスタオル用インターフォルダー加工機（Ｖ字折りシート状ペーパータオルの加工機）原反としてバックスタンドに収納させた。
上記ボックスタオル用インターフォルダー加工機（Ｖ字折りのシート状ペーパータオルの加工機）には２ユニットのエンボス工程を持っており、その第１段ユニットでは２つのマッチしていないエンボスナックル部を有するスチール製のエンボスロールにより規則的な幾何学模様が型押しされる。
ナックル部の上面から見た頂部の形状は概略長方形で短辺側に曲面をもたせており短辺の幅は１．０ｍｍで長辺の幅は２ｍｍで面積は１．９ｍｍ２である。
また、ナックル部は１ｃｍ２当たり１４個配置（凸面）されている。凸面と凹面を合計すると１ｃｍ２当たり２８個配置である。
また、ナックル部は頂面が平坦であり長辺、短辺のどちらも頂面より底面の面積が大で側面はスロープをもっており且つ頂面、底面ともに曲面をもった形状である。形状例については、図１の（ａ）（ｂ）（ｃ）に図示してある。模式図に図示すると図２のようになる。（ナックル部の頂面で圧潰された凸と凹が交互に連続的に配置されており、且つ凸面と凹面が４５°の直線状にある。）
上記凸面と凹面の面積合計はエンボスシート全体の４８％であった。
【００１４】
次に第２段ユニットのエンボスにて図３で示されたキャラクター柄の線画と線幅を持つスチール製ロール（線幅０．５ｍｍ、エンボス深さ１．５ｍｍ、凸部の角部の曲率０．２５ｍｍ）とＪＩＳ硬度９０度のラバーロールのニップに第１段で作成された幾何学模様エンボスシート（第１のシート）を通過させ第２のエンボスシートを作製した。エンボス圧力は３０Ｋｇ／ｃｍである。
図３の（ａ）は線画の線幅（凸面３）が２種類以上のキャラクター柄例であり、図３の（ｂ）は線画の線幅（凸面３）が１種類のキャラクター柄例である。
第２のエンボスシートは第１のエンボスシートの上にキャラクター柄の線画が圧潰された模様となったシートであり、キャラクター柄の面積はシート全面積の４１％であった。
この条件で図９に示すように非常に鮮明なキャラクター柄が得られた。
【実施例２】
【００１５】
サクションブレストティッシュ抄紙機で針葉樹クラフトパルプ（Ｎ−ＢＫＰ）７５％、広葉樹クラフトパルプ（Ｌ−ＢＫＰ）２５％及び湿潤紙力増強剤を対パルプ０．３％添加されたクレープ紙（ペーパータオル）を製造した。その坪量は２３ｇ／ｍ２であった。
その後プライマシンで２枚重ねとし、幅方向にスリットを入れロールスタオル用ロールワインダー加工機（ロール状ペーパータオルの加工機）原反としてバックスタンドに収納させた。
上記ロールタオル用加工機には２ユニットのエンボス工程を持っており、その第１段ユニットでは２つのマッチしていないエンボスナックル部を有するスチール製のエンボスロールにより規則的な幾何学模様が型押しされる。
ナックル部の上面から見た頂部の形状は概略長方形で短辺側に曲面をもたせており短辺の幅は０．７ｍｍで長辺の幅は１．７ｍｍで面積は１．３ｍｍ２である。
また、ナックル部は１ｃｍ２当たり１８個配置（凸面）されている。凸面と凹面を合計すると１ｃｍ２当たり３６個配置である。
また、ナックル部は頂面が平面であり長辺、短辺のどちらも頂面より底面の面積が大で側面はスロープをもっており且つ頂面、底面ともに曲面をもった形状である。第１のエンボスシートはこれを模式図に図示すると図４のようになる（ナックル部の頂面で圧潰された凸と凹が交互に非連続的に配置されており、且つ凸面と凹面が３５°の直線上にある）。
図２との相違は角度の違いの他に凸と凹の組の凹面に隣する凸面との距離（Ｘ）が図２では０ｍｍであるのに対し、図４では０．３ｍｍである点である。
上記凸面と凹面の面積合計はエンボスシート全体の４１％であった。
【００１６】
次に第２段ユニットのエンボスにて図３で示されたキャラクター柄の線画について述べる。
線幅を持つスチール製ロール（線幅０．７ｍｍ、エンボス深さ１．２ｍｍ、凸部の角部の曲率０．２５ｍｍ）とＪＩＳ硬度８０度のラバーロールのニップに第１段で作成された幾何学模様エンボスシート（第１のシート）を通過させ第２のエンボスシートを作製した。エンボス圧力は４０Ｋｇ／ｃｍ、キャラクター柄の面積はシート全面積の２０％であった。
この条件で非常に鮮明なキャラクター柄が得られた。
【実施例３】
【００１７】
第２段のエンボスユニットで、スチールエンボスロールのキャラクター柄仕様に関して、線画の凸面の外側に４ｍｍ抜き部を設け、さらに隣接する外周部の凸面（４ｍｍ幅）を設け、その他の条件は実施例１と同じ条件とした（図７の仕様）。
この条件で非常に鮮明なキャラクター柄が得られた。
【００１８】
＜比較例１＞
線幅を０．２ｍｍにした以外は実施例１と同じにした。
第１のエンボスシートの条件は実施例１と同様の方法で作製した。
第２段ユニットのエンボスにて図３で示されたキャラクター柄の線画線幅を持つスチール製ロール（線幅０．２ｍｍ、エンボス深さ１．５ｍｍ、凸部の角部の曲率０ｍｍ）とＪＩＳ硬度９０度のラバーロールのニップに第１段で作成された幾何学模様エンボスシート（第１のシート）を通過させ第２のエンボスシートを作製した。
エンボス圧力とキャラクター柄の面積は実施例１と同様である。
この条件ではシートの切断が見られ装飾柄エンボスの鮮明度もやや不明瞭であった。
【００１９】
＜比較例２＞
線幅を２．０ｍｍにした以外は実施例２と同じにした。
第１のエンボスシートの条件は実施例２と同様の方法で作製した。
第２段ユニットのエンボスにて図−３で示されたキャラクター柄の線画線幅を持つスチール製ロール（線幅２．０ｍｍ、エンボス深さ１．２ｍｍ、凸部の角部の曲率（０．４ｍｍ）とＪＩＳ硬度８０度のラバーロールのニップに第１段で作成された幾何学模様エンボスシート（第１のシート）を通過させ第２のエンボスシートを作製した。
エンボス圧力とキャラクター柄の面積は実施例２と同様である。
この条件では装飾柄エンボスの鮮明度は不明瞭であった。
【００２０】
上記実施例及び比較例で得られた装飾柄エンボスの鮮明度をまとめて表１に示した。
【００２１】
【表１】
2008113695.tif 000003
【図面の簡単な説明】
【００２２】
【図１】（ａ）は第１段のエンボスロールのナックル部（凸面）の配列を示す説明図である。（ｂ）は同上のＡ−Ａ断面図である。（ｃ）は同上のＢ−Ｂ断面図である。
【図２】第１段の対エンボスロールのナックル部により形成された第１のエンボスシートの説明図でペーパーシート表面に凸（白抜き部）と凹面（黒塗り印）が交互に連続配置された状態を示す。
【図３】（ａ）（ｂ）はキャラクター柄例図である。
【図４】第１のエンボスシートの別の模式図である。
【図５】インターホルダー加工機にエンボスユニットを組込んだ例を示す。
【図６】第１段のエンボスロールのナックル部がマッチしてない状態を示すロール説明図である。
【図７】第２エンボスロール（スチールロール）の別例を示す説明図（断面図）である。
【図８】第２エンボスロール（スチールロール）の別例を示す説明図（正面図）である。
【図９】第１エンボス上に第２エンボスの線画を描いた状態を示す説明図である。
【図１０】図９の線画を別例とした説明図である。
【符号の説明】
【００２３】
１……ナックル部（凸部）
２……キャラクター柄
３……線画の凸面
４……抜き部
５……外周部の凸面
６……第２段エンボスユニットのスチールロールベース面
７……原紙アンワインドスタンド
８……第１段エンボスユニット
９……第２段エンボスユニット
１０…Ｖ字折りインターフォルダー
【図１】
2008113695.tif 000004
【図２】
2008113695.tif 000005
【図３】
2008113695.tif 000006
【図４】
2008113695.tif 000007
【図５】
2008113695.tif 000008
【図６】
2008113695.tif 000009
【図７】
2008113695.tif 000010
【図８】
2008113695.tif 000011
【図９】
2008113695.tif 000012
【図１０】
2008113695.tif 000013